(57)【要約】      （修正有）【課題】環境温度の急激な変化などによって生じる透光性カバー（風防板）の曇りを防止し、表示の視認性を向上させた携帯型電子機器を提供する。【解決手段】携帯型電子機器としてのリスト機器は、トップケース３０およびボトムケース３３と、ケースの内側の収納部（内部空間３６）に配置されている表示部７０と、平面視で、表示部７０と重なるように、収納部の開口部を塞ぐようにケースに配置されている透光性カバー７１と、を含み、透光性カバーの内部（空間４２）、または透光性カバー７１の表示部７０と対向している内面７１ｒに線状の導電層８８を含むヒーターが配置されている。【選択図】図４
2018179664.tif 000002
【特許請求の範囲】
【請求項１】
ケースと、
前記ケースの内側の収納部に配置されている表示部と、
平面視で、前記表示部と重なるように、前記収納部の開口部を塞ぐように前記ケースに配置されている透光性カバーと、
を含み、
前記透光性カバーの内部、または前記透光性カバーの前記表示部と対向している内面に線状の導電層を含むヒーターが配置されている、
携帯型電子機器。
【請求項２】
請求項１において、
前記ヒーターは、所定の配線パターンを含む、
携帯型電子機器。
【請求項３】
請求項２において、
前記配線パターンは、前記表示部に表示されている表示の配列方向に沿って配置されている部分を含む、
携帯型電子機器。
【請求項４】
請求項１ないし３のいずれか一項において、
前記導電層は、透光性を有している、
携帯型電子機器。
【請求項５】
請求項１ないし４のいずれか一項において、
前記導電層は、酸化インジウム、または酸化錫を主成分としている、
携帯型電子機器。
【請求項６】
請求項１ないし５のいずれか一項において、
前記透光性カバーの内部、または前記透光性カバーの前記内面に蓄熱材が配置されている、
携帯型電子機器。
【請求項７】
請求項６において、
前記蓄熱材は、パラフィンを主成分とする蓄熱フィラーを含む、
携帯型電子機器。
【請求項８】
請求項６または７において、
前記蓄熱材は、平面視で、前記ヒーターを含む領域に配置されている、
携帯型電子機器。
【請求項９】
請求項１ないし８のいずれか一項において、
前記透光性カバーの前記内面に、前記ヒーターと電気的に接続されている給電部が配置され、
前記給電部は、前記収納部に配置されている回路基板と電気的に接続されている、
携帯型電子機器。
【請求項１０】
請求項１ないし９のいずれか一項において、
前記収納部に温度センサー、および湿度センサーの少なくともいずれかが配置されている、
携帯型電子機器。
【発明の詳細な説明】
【技術分野】
【０００１】
本発明は、携帯型電子機器に関する。
【背景技術】
【０００２】
近年、携帯型電子機器の一例として、種々のセンサーを備えている腕時計型の活動量計が各社から多く商品化されてきている。例えば、特許文献１には、このような腕時計型の活動量計として、バンド等によって手首等の部位（被検体）に装着され、無線通信が可能で、デジタル表示の表示部を備えている電子時計が開示されている。
【０００３】
上述のような腕時計型の活動量計では、腕時計型の活動量計の内部の湿気および外気温の影響などに起因して表示部や風防板（透光性カバー）の内面が曇ってしまい、表示の視認性が低下してしまうことがある。表示部や透光性カバーの内面に曇りが生じることを防止するために、例えば、特許文献２には、ケースの裏蓋の内面に吸湿性を有するフィルムを接着することが開示されている。また、例えば、特許文献３には、ケース内の中枠を高吸水性樹脂を含有しているＡＢＳ樹脂製とすることが開示されている。
【先行技術文献】
【特許文献】
【０００４】
【特許文献１】特開２００５−９８９９０号公報
【特許文献２】特開昭５６−８４３４１号公報
【特許文献３】特開昭６２−１３０３７４号公報
【発明の概要】
【発明が解決しようとする課題】
【０００５】
しかしながら、腕時計型の活動量計（携帯型電子機器の一例）では、様々な電子部品や基板などがケース内に高密度で収容されているため、上述したような吸湿手段では、吸湿部材の配置部位から風防板（透光性カバー）までの距離が遠くなることによりパス（通気流路）が長くなってしまったり、十分な通気が可能なパスを配置することができなかったりすることがある。このような場合、吸湿部材が配置されて湿度の低下した空間と、曇り現象が問題となる風防板が面している空間と、の通気性を十分確保することができず、風防板が面している空間に乾燥した空気が行き渡らないことに起因して、十分な防曇効果が得られないという課題があった。
【課題を解決するための手段】
【０００６】
本発明は、上述の課題の少なくとも一部を解決するためになされたものであり、以下の形態または適用例として実現することが可能である。
【０００７】
［適用例１］本適用例に係る携帯型電子機器は、ケースと、前記ケースの内側の収納部に配置されている表示部と、平面視で、前記表示部と重なるように、前記収納部の開口部を塞ぐように前記ケースに配置されている透光性カバーと、を含み、前記透光性カバーの内部、または前記透光性カバーの前記表示部と対向している内面に線状の導電層を含むヒーターが配置されていることを特徴とする。
【０００８】
本適用例によれば、透光性カバーの内部、または透光性カバーの表示部と対向している内面に、配置されている線状の導電層を含むヒーターによって透光性カバーが温められることにより、収納部と透光性カバーの内面との温度差が縮小する。これによって、透光性カバーの表示部と対向している内面に生じる曇り現象を低減すること、即ち十分な防曇効果を得ることができる。
【０００９】
［適用例２］上記適用例に記載の携帯型電子機器において、前記ヒーターは、所定の配線パターンを含むことが好ましい。
【００１０】
本適用例によれば、所定の配線パターンにより、ヒーターが透光性カバーの全域を網羅することが可能となり、防曇固化をより高めることができる。
【００１１】
［適用例３］上記適用例に記載の携帯型電子機器において、前記配線パターンは、前記表示部に表示されている表示の配列方向に沿って配置されている部分を含むことが好ましい。
【００１２】
本適用例によれば、表示部に表示されている表示の配置方向に沿って配置されている部分を含む配線パターンを設けることにより、ヒーターによる表示部の視認性の低下を低減することができる。
【００１３】
［適用例４］上記適用例に記載の携帯型電子機器において、前記導電層は、透光性を有していることが好ましい。
【００１４】
本適用例によれば、ヒーターを設けることによる表示部の表示の視認性の低下を低減することができる。
【００１５】
［適用例５］上記適用例に記載の携帯型電子機器において、前記導電層は、酸化インジウム、または酸化錫を主成分としていることが好ましい。
【００１６】
本適用例によれば、透光性カバーに透光性の導電層を低コスト、且つ容易に形成することができる。
【００１７】
［適用例６］上記適用例に記載の携帯型電子機器において、前記透光性カバーの内部、または前記透光性カバーの前記内面に蓄熱材が配置されていることが好ましい。
【００１８】
本適用例によれば、蓄熱材に蓄えられている熱量により、透光性カバーの温度変化を減少させることができることから、常時ヒーターを動作させることが不要となり、ヒーターを動作させることによる消費電力を減少させることができる。
【００１９】
［適用例７］上記適用例に記載の携帯型電子機器において、前記蓄熱材は、パラフィンを主成分とする蓄熱フィラーを含むことが好ましい。
【００２０】
本適用例によれば、ケースの収納部の限られた空間（領域）における蓄熱を、効果的に行うことができる。
【００２１】
［適用例８］上記適用例に記載の携帯型電子機器において、前記蓄熱材は、平面視で、前記ヒーターを含む領域に配置されていることが好ましい。
【００２２】
本適用例によれば、平面視で、ヒーターを含む領域に蓄熱材が配置されていることから、ヒーターの発熱を直接的に蓄熱材に伝搬させることができ、蓄熱の効率を高めることができる。
【００２３】
［適用例９］上記適用例に記載の携帯型電子機器において、前記透光性カバーの前記内面に、前記ヒーターと電気的に接続されている給電部が配置され、前記給電部は、前記収納部に配置されている回路基板と電気的に接続されていることが好ましい。
【００２４】
本適用例によれば、透光性カバーの内面に設けられ、回路基板と電気的に接続されている給電部により、ヒーターの動作を的確に制御することができる。
【００２５】
［適用例１０］上記適用例に記載の携帯型電子機器において、前記収納部に温度センサー、および湿度センサーの少なくともいずれかが配置されていることが好ましい。
【００２６】
本適用例によれば、収納部に設けられた温度センサー、および湿度センサーの少なくともいずれかの検出結果に基づいて、効率的にヒーターを動作させるように制御することができ、ヒーターの動作による消費電力を減少させることができる。
【図面の簡単な説明】
【００２７】
【図１】携帯型電子機器の第１実施形態に係るリスト機器の表側斜視図。
【図２】第１実施形態に係るリスト機器の平面図。
【図３】第１実施形態に係るリスト機器の概略構成を示す分解斜視図。
【図４】第１実施形態に係るリスト機器の概略構成を示す図２のＡ−Ａ断面図。
【図５】ヒーターの配線パターンの一例を示す透光性カバーの平面図。
【図６】第２実施形態に係るリスト機器の概略構成を示し、図４と同位置での断面図。
【図７】第３実施形態に係るリスト機器の概略構成を示し、図４と同位置での断面図。
【発明を実施するための形態】
【００２８】
以下、本実施形態について説明する。なお、以下で説明する本実施形態は、特許請求の範囲に記載された本発明の内容を不当に限定するものではない。また、本実施形態で説明される構成の全てが、本発明の必須構成要件であるとは限らない。
【００２９】
また、本明細書では、第１実施形態、第２実施形態、および第３実施形態において、本発明による携帯型電子機器としてリスト機器を例示して説明する。以下の説明では、説明の便宜上、リスト機器の透光性カバー側を表（表側）、透光性カバーとは反対側（装着時にユーザーに接する側）を裏（裏側）として説明することがある。また、第１実施形態および第２実施形態に係るリスト機器は、ランナーズウォッチ、デュアスロンやトライアスロン等マルチスポーツ対応のランナーズウォッチ、および衛星測位システム、例えばＧＰＳを搭載したＧＰＳウォッチ、等に広く適用できる。
【００３０】
（第１実施形態）
先ず、図１、および図２を参照して、本発明による携帯型電子機器の第１実施形態に係るリスト機器の概要について説明する。図１は、携帯型電子機器の第１実施形態に係るリスト機器の表側斜視図である。図２は、第１実施形態に係るリスト機器の平面図である。
【００３１】
図１および図２に示すように、携帯型（ウェアラブル型）電子機器の一例としてのリスト機器１は、ユーザー（装着者）の所与の部位（例えば、手首）に装着され、ユーザーの位置情報や運動情報などを検出することができる。リスト機器１は、ユーザーに装着されて位置情報や運動情報などを検出する機器本体１０と、機器本体１０に取り付けられ機器本体１０をユーザーに装着するための第１のバンド部３２および第２のバンド部３７と、を有する。なお、リスト機器１には、ユーザーの位置情報や運動情報に加えて、例えば脈波情報などの生体情報を検出する機能や時刻情報などを取得する機能を設けることができる。
【００３２】
機器本体１０は、ユーザーへの装着側にケースとしてのボトムケース３３が配置され、ユーザーへの装着側と反対側には、表側に開口する開口部４０（図３参照）を有するケースとしてのトップケース３０が配置されている。ここで、ボトムケース３３とトップケース３０とによって、ケースが構成される。機器本体１０の表側（トップケース３０）に位置する開口部４０の外側には、ベゼル７５が設けられるとともに、このベゼル７５の内側にベゼル７５と並んで配置されて内部構造を保護する天板部分（外壁）としての透光性カバー（本例では透明のガラス板）７１が設けられている。透光性カバー７１は、平面視で、後述する表示部７０と重なるようにトップケース３０の開口部４０を塞ぐように配置されている。機器本体１０の表側（トップケース３０）の側面には、複数の操作ボタン８０，８１が設けられている。なお、ベゼル７５には、表側から視認可能な表示を設けることができる。
【００３３】
また、機器本体１０は、透光性カバー７１の直下に配置されている液晶ディスプレイ（ＬＣＤ）などで構成される表示部７０を有している。機器本体１０は、透光性カバー７１を介して、表示部７０の表示をユーザーが閲覧可能な構成としてもよい。つまり本実施形態のリスト機器１では、検出した位置情報や運動情報、或いは時刻情報等の種々の情報を表示部７０に表示し、当該表示を機器本体１０のトップ側からユーザーに提示するものであってもよい。また、ボトムケース３３の両側には、第１のバンド部３２および第２のバンド部３７との接続部である一対のバンド装着部（不図示）が設けられている。
【００３４】
なお、機器本体１０の天板部分の透光性カバー７１は、透明のガラス板に限らず、表示部７０を閲覧可能な透明部材であり、表示部７０を構成する液晶ディスプレイ（ＬＣＤ）などのトップケース３０とボトムケース３３との内部（図４に示す収納部としての内部空間３６）に収容される構成を保護可能な程度の強度を有する部材であれば、透明のプラスチックなど、ガラス以外の材料とすることができる。
【００３５】
次に、図３、図４、および図５を参照して、機器本体１０の断面構造について、その構成例を説明する。図３は、第１実施形態に係るリスト機器の概略構成を示す分解斜視図である。図４は、第１実施形態に係るリスト機器の概略構成を示す図２のＡ−Ａ断面図である。図５は、ヒーターの配線パターンの一例を示す透光性カバーの平面図である。
【００３６】
機器本体１０は、図３、および図４に示すように、トップケース３０と、ボトムケース３３と、トップケース３０の開口部４０を塞ぐ透光性カバー７１と、に囲まれたケースの内側の密閉空間である内部空間３６が設けられている。そして、この内部空間３６に、表示部７０、リスト機器１を構成する要素部品である、例えば回路基板４５、フレキシブル配線基板４６、地磁気センサー５５、温度センサー５６、湿度センサー５７、二次電池６０、ヒーター配線８５、ＧＰＳ（Global Positioning System）アンテナ９０、ＧＰＳ衛星信号受信部（不図示）、および振動部９５などが収納されている。ただし、機器本体１０は、図４に示す構成に限定されず、例えば気圧センサー、加速度センサー、角速度センサーなどの他のセンサーや電子部品などを追加してもよいし、減じてもよい。
【００３７】
機器本体１０は、トップケース３０の内側に突出する突起部３４の表側（透光性カバー７１側）に、表示部７０が載置されている。このような配置により、トップケース３０と表示部７０と透光性カバー７１とに囲まれた空間４２が設けられる。
【００３８】
表示部７０を構成する液晶ディスプレイ（ＬＣＤ）では、種々の検出モードに応じて、例えば、ＧＰＳや地磁気センサー５５を用いた位置情報、温度センサー５６や湿度センサー５７を用いた温湿度情報、移動量や角速度センサーや加速度センサーなどを用いた運動量などの運動情報、脈波センサーなどを用いた脈拍数などの生体情報、もしくは現在時刻などの時刻情報などが表示される。そして、この表示は、透光性カバー７１を介してユーザーが閲覧（視認）することができる。
【００３９】
また、機器本体１０は、図３および図４に示すように、トップケース３０の外縁側に位置し、表側に向かって開口する周状の凹部３１を有している。凹部３１の外周側および内周側には壁部が構成され、外周側に設けられた第１壁部３１ａ（図３参照）、および内周側に設けられた第２壁部３１ｂ（図３参照）を含んでいる。凹部３１には、ベゼル７５の少なくとも一部が挿入され、固着されている。このように、凹部３１にベゼル７５を挿入することにより、トップケース３０に対するベゼル７５の位置合わせを容易に行うことができる。
【００４０】
ベゼル７５は、透光性カバー７１側に張り出す庇部７５ａを有している。なお、庇部７５ａは、トップケース３０内周側の第２壁部３１ｂの頂部に当接されてもよい。トップケース３０の第２壁部３１ｂの頂部に庇部７５ａが当接されることにより、庇部７５ａの変形を減少させることができる。なお、ベゼル７５は、例えばステンレス材や真鍮（黄銅）材の表面にメッキ処理を施した材料で形成することができる。
【００４１】
ベゼル７５の庇部７５ａの内周面（内側面）側には、透光性カバー７１がベゼル７５と並ぶように配置されている。透光性カバー７１は、ベゼル７５の庇部７５ａの内側面に当接するように配置されている。透光性カバー７１は、ベゼル７５によって、透光性カバー７１が機器本体１０（トップケース３０）から脱落しないように保持される。
【００４２】
図４および図５に示すように、透光性カバー７１は、表示部７０と対向している内面７１ｒ、および内面７１ｒと反対側に位置する外面７１ｆを有している。そして、透光性カバー７１の内面７１ｒには、二点鎖線の輪郭線で示す領域パターン（図５参照）に配設された印刷ガラス層８９が設けられている。印刷ガラス層８９は、表示部７０の、例えば表示Ｄ１，Ｄ２，Ｄ３などの表示領域を除く領域に設けられていることが好ましい。
【００４３】
印刷ガラス層８９の表示部７０側の面には、線状の導電層８８を含むヒーター、およびヒーターと電気的に接続されている給電部８６が配置されている。線状の導電層８８を含むヒーターは、所定の配線パターンによって、透光性カバー７１の広範囲に引き回され、透光性カバー７１の全面に亘って配置されるように構成されている。
【００４４】
このように、印刷ガラス層８９の表示部７０側の面に導電層８８を含むヒーターが配設されることによって、透光性カバー７１を温めることができ、例えば低温環境下における外面７１ｆ側からの外気温の伝導による透光性カバー７１や透光性カバー７１の内面７１ｒの温度低下を防止もしくは低減することができる。これにより、収納部としての内部空間３６の温度と、透光性カバー７１や透光性カバー７１の内面７１ｒの温度との差が縮小し、透光性カバー７１の内面７１ｒに生じる曇り現象を低減することができる。また、印刷ガラス層８９の表示部７０側の面に導電層８８を含むヒーターが配設されることによって、表側から透光性カバー７１を視認したとき、印刷ガラス層８９によってヒーターを見難くすることができ、表示部７０の視認デザイン性を向上させることができる。また、ヒーターが所定の配線パターンによって、透光性カバー７１の広範囲に亘って配置されることにより、透光性カバー７１の加熱温度を概ね均一にすることが可能となり、防曇効果をより高めることができる。
【００４５】
ヒーターに係る配線パターンには、一例として図５に示すように、表示部７０に表示されている表示Ｄ１，Ｄ２，Ｄ３に用いられている、例えば文字や数字、もしくは記号などの配列方向に沿って配置されている部分が含まれていることが好ましい。具体的に、現在時刻を示す表示Ｄ１、およびカレンダーを示す表示Ｄ２では、時刻数字の並ぶ方向（図中に示す配列方向Ｆ１）に沿ってヒーターの一部を構成する導電層８８ａ，８８ｂが配設されている。また、秒を示す表示Ｄ３では、円周上に配置されたインジケーターの並ぶ方向（図中に示す配列方向Ｆ３）に沿ってヒーターの一部を構成する導電層８８ｃが配設されている。
【００４６】
このように、ヒーターの配線パターンに、表示部７０に表示されている表示Ｄ１，Ｄ２，Ｄ３に用いられる文字や数字、もしくは記号などの並ぶ配列方向に沿って配置されている部分を含むことにより、ヒーターによる表示部７０の視認性の低下を低減することができる。
【００４７】
導電層８８ａ，８８ｂ，８８ｃを含むヒーターは、それぞれが接続され、導電部８８ｄを介して給電部８６に電気的に接続されている。給電部８６は、ヒーター配線８５によって回路基板４５と電気的に接続されている。そして、ヒーターは、回路基板４５に搭載されているヒーター制御回路（不図示）によって、例えばＯＮ−ＯＦＦなどの動作が制御される。このように、給電部８６が回路基板４５（ヒーター制御回路）と電気的に接続されていることにより、ヒーターの動作を的確に制御することができる。
【００４８】
ヒーターを構成する導電層８８ａ，８８ｂ，８８ｃは、透光性を有していることが好ましく、酸化インジウム（In2O3）、または酸化錫（SnO2）を主成分とした化合物を用いることができる。このような化合物としては、例えば酸化インジウム錫（ITO：Indium Tin Oxide）を好適に用いることができる。酸化インジウム錫（ITO）は、可視光領域の透過率が高いため、薄膜ではほぼ無色透明であり、ヒーターを設けることによる表示部７０の視認性の低下を抑えることができる。換言すれば、ヒーターを設けることによる表示の視認性を損ねることがない。なお、導電層８８ａ，８８ｂ，８８ｃは、電子ビーム蒸着法、物理気相成長法、スパッタ蒸着法などを用いて容易に形成することができる。
【００４９】
収納部としての内部空間３６に設けられている温度センサー５６、および湿度センサー５７は、内部空間３６の温度や湿度を計測し、計測された温度や湿度の検出結果に基づいてヒーターの動作を制御することができる。このようにヒーターを制御することにより、収納空間（内部空間３６や空間４２）の温度や湿度の状態によって効率的にヒーターを動作させることができ、ヒーターの動作に係る消費電力を減少させることができる。
【００５０】
以上説明した第１実施形態に係る携帯型電子機器としてのリスト機器１の機器本体１０によれば、透光性カバー７１の内部に位置する印刷ガラス層８９の表示部７０側の面に配置されている線状の導電層８８（導電層８８ａ，８８ｂ，８８ｃ，導電部８８ｄ）を含むヒーターによって透光性カバー７１が温められることにより、収納部としての内部空間３６と透光性カバー７１の表示部７０側の内面７１ｒとの温度差が縮小する。これによって、透光性カバー７１の内面７１ｒに生じる曇り現象を低減すること、即ち透光性カバー７１に対する優れた防曇効果を得ることができる。
【００５１】
（第２実施形態）
次に、図６を参照して、本発明による携帯型電子機器の第２実施形態に係るリスト機器の機器本体の概要について説明する。図６は、第２実施形態に係るリスト機器の概略構成を示し、図４と同位置での断面図である。なお、第２実施形態に係る以下の説明では、上述の第１実施形態と異なる機器本体の形態や構成を中心に説明し、同様な形態や構成であるリスト機器１についての説明は省略する。また、機器本体においても、第１実施形態と同様な形態や構成については、同符号を付し、その説明を省略することがある。
【００５２】
図６に示すように、機器本体１０ｂは、第１実施形態の機器本体１０と同様に、ユーザーへの装着側にケースとしてのボトムケース３３が配置され、ユーザーへの装着側と反対側には、表側に開口する開口部４０（図３参照）を有するケースとしてのトップケース３０が配置されている。ここで、ボトムケース３３とトップケース３０とによって、ケースが構成される。機器本体１０ｂの表側（トップケース３０）に位置する開口部４０の外側には、ベゼル７５が設けられるとともに、このベゼル７５の内側にベゼル７５と並んで配置されて内部構造を保護する透光性カバー（本例ではガラス板）７１が設けられている。透光性カバー７１は、平面視で、後述する表示部７０と重なるようにトップケース３０の開口部４０を塞ぐように配置されている。なお、ベゼル７５には、表側から視認可能な表示を設けることができる。
【００５３】
また、機器本体１０ｂは、透光性カバー７１の直下に配置されている液晶ディスプレイ（ＬＣＤ）などで構成される表示部７０を有し、透光性カバー７１を介して表示部７０の表示をユーザーが閲覧可能な構成としてもよい。また、透光性カバー７１は、ガラス板に限らず、表示部７０を閲覧可能な透明部材であり、表示部７０を構成する液晶ディスプレイなどの、後述する収納部としての内部空間３６に収容される構成を保護可能な程度の強度を有する部材であれば、透明のプラスチックなど、ガラス以外の材料とすることができる。
【００５４】
機器本体１０ｂは、第１実施形態と同様に、トップケース３０と、ボトムケース３３と、トップケース３０の開口部４０を塞ぐ透光性カバー７１と、に囲まれたケースの内側の密閉空間である内部空間３６が設けられている。そして、この内部空間３６に、表示部７０、リスト機器１を構成する要素部品である、例えば回路基板４５、フレキシブル配線基板４６、地磁気センサー５５、温度センサー５６、湿度センサー５７、二次電池６０、ヒーター配線８５、ＧＰＳアンテナ９０、ＧＰＳ衛星信号受信部（不図示）、および振動部９５などが収納されている。ただし、機器本体１０ｂは、図６に示す構成に限定されず、例えば気圧センサー、加速度センサー、角速度センサーなどの他のセンサーや電子部品などを追加してもよいし、減じてもよい。以下、機器本体１０ｂのそれぞれの構成部材について説明するが、例えば表示部７０、ベゼル７５など上述の第１実施形態と同様な構成については、その説明を省略する。
【００５５】
透光性カバー７１の表示部７０と対向している内面７１ｒには、線状の導電層８８を含むヒーター、およびヒーターと電気的に接続されている給電部８６が配置されている。線状の導電層８８を含むヒーターは、所定の配線パターンによって、透光性カバー７１の広範囲に亘って配置されるように構成されている。なお、線状の導電層８８を含むヒーターの配線パターンは、図５に示して説明したパターンと同様に、表示部７０に表示されている文字や数字、もしくは記号などの配列方向に沿って配置されている部分が含まれている。なお、導電層８８を含むヒーターの具体的な配線パターンの詳細は、図５と同様であるので、ここでの詳細な説明は省略する。
【００５６】
透光性カバー７１の表示部７０と対向している内面７１ｒには、平面視で、線状の導電層８８を含むヒーターと重なるように印刷ガラス層８９ｂが設けられている。印刷ガラス層８９ｂは、第１実施形態と同様に、図５に二点鎖線の輪郭線で例示されているような領域パターンに配置されている。また、印刷ガラス層８９ｂは、表示部７０に表示される数字や文字などの表示領域を除く領域に設けられている。
【００５７】
このように、透光性カバー７１の表示部７０側の面に導電層８８を含むヒーターが配設されることによって、透光性カバー７１を効率的に温めることができ、収納部としての内部空間３６の温度と、透光性カバー７１の内面７１ｒの温度との差（温度差）が縮小し、透光性カバー７１の内面７１ｒに生じる曇り現象を低減することができる。また、表示部７０側の面に導電層８８を含むヒーターが配設されることによって、表側から導電層８８を視認し易くなり、導電層８８の配置を表示部７０の表示デザインに反映させ、表示デザインを構成する一つのアイテムとして用いることが可能となる。
【００５８】
導電層８８を含むヒーターは、それぞれが接続され、導電部（図６では不図示）を介して給電部８６に電気的に接続されている。給電部８６は、ヒーター配線８５によって回路基板４５と電気的に接続されている。そして、ヒーターは、回路基板４５に搭載されているヒーター制御回路（不図示）によって、例えばＯＮ−ＯＦＦなどの動作が制御される。このように、給電部８６が回路基板４５（ヒーター制御回路）と電気的に接続されていることにより、ヒーターの動作を的確に制御することができる。
【００５９】
以上説明した第２実施形態に係る携帯型電子機器としてのリスト機器の機器本体１０ｂによれば、透光性カバー７１の表示部７０と対向している内面７１ｒに配置されている線状の導電層８８を含むヒーターによって透光性カバー７１が温められることにより、収納部としての内部空間３６と透光性カバー７１の内面７１ｒとの温度差が縮小する。これによって、透光性カバー７１の内面７１ｒに生じる曇り現象を低減すること、即ち透光性カバー７１に対する優れた防曇効果を得ることができる。
【００６０】
（第３実施形態）
次に、図７を参照して、本発明による携帯型電子機器の第３実施形態に係るリスト機器の機器本体の概要について説明する。図７は、第３実施形態に係るリスト機器の概略構成を示し、図４と同位置での断面図である。なお、第３実施形態に係る以下の説明では、上述の第１実施形態と異なる機器本体の形態や構成を中心に説明し、同様な形態や構成であるリスト機器１についての説明は省略する。また、機器本体においても、第１実施形態と同様な形態や構成については、同符号を付し、その説明を省略することがある。
【００６１】
図７に示すように、機器本体１０ｃは、第１実施形態の機器本体１０と同様に、ユーザーへの装着側にケースとしてのボトムケース３３が配置され、ユーザーへの装着側と反対側には、表側に開口する開口部４０（図３参照）を有するケースとしてのトップケース３０が配置されている。ここで、ボトムケース３３とトップケース３０とによって、ケースが構成される。機器本体１０ｃの表側（トップケース３０）に位置する開口部４０の外側には、ベゼル７５が設けられるとともに、このベゼル７５の内側にベゼル７５と並んで配置されて内部構造を保護する透光性カバー（本例ではガラス板）７１が設けられている。透光性カバー７１は、平面視で、後述する表示部７０と重なるようにトップケース３０の開口部４０を塞ぐように配置されている。なお、ベゼル７５には、表側から視認可能な表示を設けることができる。
【００６２】
また、機器本体１０ｃは、透光性カバー７１の直下に配置されている液晶ディスプレイ（ＬＣＤ）などで構成される表示部７０を有し、透光性カバー７１を介して表示部７０の表示をユーザーが閲覧可能な構成としてもよい。また、透光性カバー７１は、ガラス板に限らず、表示部７０を閲覧可能な透明部材であり、表示部７０を構成する液晶ディスプレイなどの、後述する収納部としての内部空間３６に収容される構成を保護可能な程度の強度を有する部材であれば、透明のプラスチックなど、ガラス以外の材料とすることができる。
【００６３】
機器本体１０ｃは、第１実施形態と同様に、トップケース３０と、ボトムケース３３と、トップケース３０の開口部４０を塞ぐ透光性カバー７１と、に囲まれたケースの内側の密閉空間である内部空間３６が設けられている。そして、この内部空間３６に、表示部７０、リスト機器１を構成する要素部品である、例えば回路基板４５、フレキシブル配線基板４６、地磁気センサー５５、温度センサー５６、湿度センサー５７、二次電池６０、ヒーター配線８５、ＧＰＳアンテナ９０、ＧＰＳ衛星信号受信部（不図示）、および振動部９５などが収納されている。ただし、機器本体１０ｃは、図７に示す構成に限定されず、例えば気圧センサー、加速度センサー、角速度センサーなどの他のセンサーや電子部品などを追加してもよいし、減じてもよい。以下、機器本体１０ｃのそれぞれの構成部材について説明するが、例えば表示部７０、ベゼル７５など上述の第１実施形態と同様な構成については、その説明を省略する。
【００６４】
透光性カバー７１の表示部７０と対向している内面７１ｒには、二点鎖線の輪郭線で示す領域パターンに配置された印刷ガラス層８９が設けられている。印刷ガラス層８９は、第１実施形態同様に、図５に二点鎖線の輪郭線で例示されているような領域パターンに配置されている。また、印刷ガラス層８９は、表示部７０に表示される数字や文字などの表示領域を除く領域に設けられている。
【００６５】
印刷ガラス層８９の表示部７０側の面には、線状の導電層８８を含むヒーター、およびヒーターと電気的に接続されている給電部８６が配置されている。線状の導電層８８を含むヒーターは、所定の配線パターンによって、透光性カバー７１の広範囲に亘って配置されるように構成されている。導電層８８を含むヒーターの配線パターンは、図５に示して説明したパターンと同様に、表示部７０に表示されている文字や数字、もしくは記号などの配列方向に沿って配置されている部分が含まれている。なお、導電層８８を含むヒーターの具体的な配線パターンの詳細は、図５と同様であるので、ここでの詳細な説明は省略する。
【００６６】
このように、印刷ガラス層８９の表示部７０側の面に導電層８８を含むヒーターが配設されることによって、透光性カバー７１を温めることができ、収納部としての内部空間３６の温度と、透光性カバー７１の内面７１ｒの温度との差が縮小し、透光性カバー７１の内面７１ｒに生じる曇り現象を低減することができる。また、印刷ガラス層８９の表示部７０側の面に導電層８８を含むヒーターが配設されることによって、表側から透光性カバー７１を視認したとき、印刷ガラス層８９によってヒーターを見難くすることができ、表示部７０の視認デザイン性を向上させることができる。また、ヒーターが所定の配線パターンによって、透光性カバー７１の広範囲に亘って配置されることにより、加熱された透光性カバー７１の温度分布を概ね均一にすることが可能となり、防曇効果をより高めることができる。
【００６７】
導電層８８を含むヒーターは、それぞれが接続され、導電部（図７では不図示）を介して給電部８６に電気的に接続されている。給電部８６は、ヒーター配線８５によって回路基板４５と電気的に接続されている。このように、給電部８６が回路基板４５と電気的に接続されていることにより、ヒーターの動作を的確に制御することができる。
【００６８】
更に、透光性カバー７１の表示部７０側、または透光性カバー７１の内面７１ｒに、蓄熱材８４が配置されている。蓄熱材８４は、少なくとも導電層８８を含むヒーターと、平面視で重なる領域に設けられている。このように、平面視で、ヒーターを含む領域に蓄熱材８４が配置されていることから、ヒーターの発熱を直接的に蓄熱材８４に伝搬させることができ、蓄熱の効率を高めることができる。なお、蓄熱材８４は、透光性カバー７１の内面７１ｒに当接して配置されていてもよいし、透光性カバー７１の内面７１ｒと隙間を有して配置されていてもよい。また、蓄熱材８４は、印刷ガラス層８９と、平面視で重なる領域に設けられてもよい。
【００６９】
蓄熱材８４は、例えばアクリルを主材として、パラフィンなどを主成分とする蓄熱フィラーを混練したコンパウンド蓄熱粘着シートなどを用いて構成することができる。なお、蓄熱材８４は、一定時間に亘り、所定の温度を保つことができる機能を有していることから、内部空間３６の狭く限られた空間（領域）における蓄熱を、効果的に行うことができる。
【００７０】
以上説明した第３実施形態に係る携帯型電子機器としてのリスト機器の機器本体１０ｃによれば、透光性カバー７１の内部に位置する印刷ガラス層８９の表示部７０側の面に配置されている線状の導電層８８を含むヒーターによって透光性カバー７１が温められることにより、収納部としての内部空間３６と透光性カバーの表示部７０の内面７１ｒとの温度差が縮小する。これによって、透光性カバー７１の内面７１ｒに生じる曇り現象を低減すること、即ち透光性カバー７１に対する優れた防曇効果を得ることができる。
【００７１】
更に、機器本体１０ｃによれば、透光性カバー７１の内部、または透光性カバー７１の内面７１ｒに、少なくとも導電層８８を含むヒーターと、平面視で重なる領域に設けられている蓄熱材８４に蓄えられている熱量により、内部空間３６や透光性カバー７１の温度変化を減少させることができる。これにより、ヒーターを常時動作させることが不要となり、ヒーターの動作による消費電力を減少させることができる。
【００７２】
なお、上述の第３実施形態における蓄熱材８４の配置例では、蓄熱材８４が、透光性カバー７１よりも表示部７０側、または透光性カバー７１の内面７１ｒに配置される構成を例示したがこれに限らない。蓄熱材８４は、透光性カバー７１の内部に設けることとしてもよい。このような構成の場合は、蓄熱材８４が、例えば透光性カバー７１に埋め込まれたり、二つに分割された透光性カバー７１の間に挟まれたりして配設される構成であってもよい。
【００７３】
また、上述の実施形態では、少なくとも導電層８８を含むヒーターが、透光性カバー７１の内面７１ｒ、もしくは印刷ガラス層８９に配置される構成を例示したがこれに限らない。このようなヒーターにより透光性カバーが加温されることによって防曇効果を得ることができるため、導電層８８を含むヒーターは、透光性カバー７１よりも表示部７０側に設けることとしてもよい。具体的には、トップケース３０と表示部７０と透光性カバー７１とに囲まれた空間４２の内の、透光性カバー７１に近隣する位置に配置することができる。
【００７４】
また、少なくとも導電層８８を含むヒーターは、透光性カバー７１の内部に設けることとしてもよい。このような構成の場合は、例えば導電層８８が透光性カバー７１に埋め込まれたり、例えば二つに分割された透光性カバー７１の間に挟まれたりすることによってヒーターが配設されていてもよい。
【００７５】
また、上述では、ユーザー（装着者）の所与の部位に装着される携帯型電子機器として、ユーザーの手首に装着されるリスト機器を例示して説明したが、次のような装着例を例示することができる。携帯型電子機器としては、例えば首に掛けるネックレス様の構成、胴体や足首などに装着する構成、もしくは携帯型情報端末のようにユーザーがポケットやバッグの中に保持する構成などであってもよい。
【００７６】
また、衛星測位システムとしてＧＰＳ（Global Positioning System）を用いて説明したが、他の全地球航法衛星システム（ＧＮＳＳ：Global Navigation Satellite System）を利用してもよい。例えば、ＥＧＮＯＳ(European Geostationary-Satellite Navigation Overlay Service)、ＱＺＳＳ（Quasi Zenith Satellite System）、ＧＬＯＮＡＳＳ（GLObal NAvigation Satellite System）、ＧＡＬＩＬＥＯ、ＢｅｉＤｏｕ（BeiDou Navigation Satellite System）、等の衛星測位システムのうち１又は２以上を利用してもよい。また、衛星測位システムの少なくとも１つにＷＡＡＳ（Wide Area Augmentation System）、ＥＧＮＯＳ（European Geostationary-Satellite Navigation Overlay Service）等の静止衛星型衛星航法補強システム（ＳＢＡＳ：Satellite-based Augmentation System）を利用してもよい。
【符号の説明】
【００７７】
１…携帯型電子機器としてのリスト機器、１０，１０ｂ，１０ｃ…機器本体、３０…トップケース、３１…凹部、３１ａ…第１壁部、３１ｂ…第２壁部、３２…第１のバンド部、３３…ボトムケース、３４…突起部、３６…収納部としての内部空間、３７…第２のバンド部、４０…開口部、４２…空間、４５…回路基板、４６…フレキシブル基板、５５…地磁気センサー、５６…温度センサー、５７…湿度センサー、６０…二次電池、７０…表示部、７１…透光性カバー、７１ｆ…外面、７１ｒ…内面、７５…ベゼル、７５ａ…庇部、８０，８１…操作ボタン、８５…ヒーター配線、８６…給電部、８８…導電層、８９…印刷ガラス層、９０…ＧＰＳアンテナ、９５…振動部、Ｆ１，Ｆ３…数字や文字の配列方向を示す矢印。
【図１】
2018179664.tif 000003
【図２】
2018179664.tif 000004
【図３】
2018179664.tif 000005
【図４】
2018179664.tif 000006
【図５】
2018179664.tif 000007
【図６】
2018179664.tif 000008
【図７】
2018179664.tif 000009